(57)【要約】【課題】回転操作部品の操作軸とパネルの穴との間に生じるセンターずれが外観に及ぼす影響を小さくする回転操作部品の取付構造を提供する。【解決手段】回転軸２を有する回転操作部品を備えた基板と、回転軸２に嵌着されるつまみ３と、回転軸２を挿通する穴４ａを備えるパネル４と、を備える回転操作部品の取付構造において、回転軸２を回転可能に保持する固定軸１と、固定軸１に一体的に固定され、前記穴の径より外径が大きい穴隠し板５、６と、を有し、パネル４の筐体内面側と前記穴隠し板の外側面が近接して配置されており、また、前記穴の内周面と前記穴隠し板につまみ３にそって設けられた立ち上がり部５ｂとの間に所定の間隔７を設けた。【選択図】　　　　図１
2004069347.tif 000002
【特許請求の範囲】
【請求項１】
回転軸を有する回転操作部品を備えた基板と、前記回転軸に嵌着されるつまみと、前記回転軸を挿通する穴を備えるパネルと、を備える回転操作部品の取付構造において、
前記回転軸を回転可能に保持する固定軸と、
前記固定軸に一体的に固定され、前記穴の径より外径が大きい穴隠し板と、を有し、
前記パネルの筐体内面側と前記穴隠し板の外側面が近接して配置されており、また、前記穴の内周面と前記穴隠し板に前記つまみにそって設けられた立ち上がり部との間に所定の間隔を設けた、
ことを特徴とする回転操作部品の取付構造。
【請求項２】
前記立ち上がり部の前記穴の内周面と対向する角部、若しくは、前記穴の角部に所定の切り欠きを設けたことを特徴とする請求項１に記載の回転操作部品の取付構造。
【請求項３】
前記穴隠し板は、採光板若しくは化粧パネル、またはこれらの組み合わせで構成されていることを特徴とする請求項１または２に記載の回転操作部品の取付構造。
【発明の詳細な説明】
【０００１】
【発明の属する技術分野】
この発明は回転操作部品の取付構造に係わり、特に、外観の優れた回転操作部品の取付構造に関する。
【０００２】
【従来の技術】
基板に取付けた回転操作部品の操作軸をパネルの穴から突出させ前記操作軸につまみを嵌着する回転操作部品の取付構造の例を図６により説明する。ボリュームあるいはシークの操作用に基板に取付けられたロータリーエンコーダのスリーブ１に回動自在に嵌合した操作軸２はパネル４の穴４ａから突出しつまみ３が嵌着される。
【０００３】
この例は、操作軸２の外側にパネル４とは別の部材である化粧パネル１７や採光板１８が配置される例であり、外観を考慮し、パネル４、化粧パネル１７および採光板１８の部品間の隙間をなくし、これらが一体に固着された構造となっている。そして、採光板１８の内径をロータリエンコーダのスリーブ１の外径より大きくして隙間７を設けることによりロータリエンコーダを取付ける際に生じる位置ずれを吸収している。
【０００４】
【発明が解決しようとする課題】
上記した従来の回転操作部品の取付構造では、ロータリエンコーダのスリーブ１と採光板１８の間に隙間７を設けたため、ロータリエンコーダの操作軸２とパネル４の穴、化粧パネル１７、および採光板１８の中心位置がずれる。すなわち、センターずれが発生し、つまみ３を取付けることによりこのセンターずれが目立つという問題があった。
【０００５】
また、ロータリエンコーダの操作軸２に取付けられたつまみ３がセンターずれにより採光板１８と接触することを防ぐため、スリーブ１と採光板１８との間にセンターずれ量に余裕を加えた隙間を設けなければならなかった。そして、ロータリエンコーダ等が基板に多数設けられる場合、上記したセンターずれの外観に及ぼす影響が大きくなっていた。
【０００６】
この発明は上記した点に鑑みてなされたものであって、その目的とするところは、回転操作部品の操作軸とパネルの穴との間に生じるセンターずれが外観に及ぼす影響を小さくする回転操作部品の取付構造を提供することにある。
【０００７】
この発明の他の目的は、回転操作部品のつまみとその周囲に配置される部材との間の隙間を小さくしてもつまみとその周囲に配置される部材とが接触することのない回転操作部品の取付構造を提供することにある。
【０００８】
【課題を解決するための手段】
この発明の回転操作部品の取付構造は、回転軸を有する回転操作部品を備えた基板と、前記回転軸に嵌着されるつまみと、前記回転軸を挿通する穴を備えるパネルと、を備える回転操作部品の取付構造において、前記回転軸を回転可能に保持する固定軸と、前記固定軸に一体的に固定され、前記穴の径より外径が大きい穴隠し板と、を有し、前記パネルの筐体内面側と前記穴隠し板の外側面が近接して配置されており、また、前記穴の内周面と前記穴隠し板に前記つまみにそって設けられた立ち上がり部との間に所定の間隔を設けたものである。
【０００９】
また、前記回転操作部品の取付構造において、前記立ち上がり部の前記穴の内周面と対向する角部、若しくは、前記穴の角部に所定の切り欠きを設けたものである。
【００１０】
さらに、前記回転操作部品の取付構造において、前記穴隠し板が、採光板若しくは化粧パネル、またはこれらの組み合わせで構成されているものである。
【００１１】
【発明の実施の形態】
この発明の実施例を図面に基づいて説明する。図１はこの発明の第１の実施例であるロータリエンコーダの取付構造を示す断面図、図２は同ロータリエンコーダの取付構造を示す斜視図である。
【００１２】
図１に示すロータリーエンコーダの固定軸であるスリーブ１には操作軸２が回転自在に嵌合している。操作軸２にはつまみ３が嵌着される。ロータリーエンコーダは基板に取付けられており、パネル４の穴４ａを挿通するスリーブ１に回転面で形成された採光板６が隙間なく嵌着され、採光板６の外側には回転面で形成された化粧パネル５が隙間なく取付けられている。採光板６と化粧パネル５によりパネル４の穴を塞ぐ穴隠し板が形成されている。
【００１３】
化粧パネル５の上面はパネル４に当接しているが、化粧パネル５はパネル４に固定されていない。化粧パネル５のつまみ３にそって設けられた立ち上がり部５ｂの側面とパネル４の間に隙間７が設けられ、化粧パネル５のパネル４と対向する縁には底面が平面を形成する切り欠き５ａが形成されている。
【００１４】
ロータリーエンコーダのスリーブ１とパネル４との間にセンターずれが発生しても隙間７があるため化粧パネル５がパネル４に突き当たることはない。また、つまみ３と、パネル４の穴との間にセンターずれが生じても切り欠き５ａのためにセンターずれが目立たない。
【００１５】
なお、つまみ３と採光板６とはスリーブ１に対して同心に取付けられるためにセンターずれが生じることなく、つまみ３と採光板６とを近接して取付けることが可能である。図２につまみ３、採光板６、化粧パネル５、切り欠き５ａ、隙間７およびパネル４の位置関係を斜視図として示している。
【００１６】
図３にこの発明の第２の実施例のロータリエンコーダの取付構造を示す。この例では基板に取付けられロータリーエンコーダのスリーブ１に回転面で形成された化粧パネル８が直接嵌着され化粧パネル８のみで穴隠し板が構成され、採光板は用いられていない。スリーブ１には操作軸２が回転自在に嵌合し、操作軸２にはつまみ３が嵌着される。なお、化粧パネル８の代わりに採光板のみをスリーブ１に嵌着してもよい。
【００１７】
化粧パネル８の上面はパネル４に当接しているが、化粧パネル８はパネル４に固定されていない。化粧パネル８の立ち上がり部８ｂの側面とパネル４の間に隙間７が設けられ、化粧パネル８のパネル４と対向する縁には底面が平面を形成する切り欠き８ａが形成されている。
【００１８】
ロータリーエンコーダのスリーブ１とパネル４との間にセンターずれが発生しても隙間７があるため化粧パネル８がパネル４に突き当たることはない。また、つまみ３とパネル４の穴との間にセンターずれが生じても切り欠き８ａのためにセンターずれが目立たない。
【００１９】
なお、つまみ３と化粧パネル８はスリーブ１に対して同心に取付けられるためにセンターずれが生じることがなく、つまみ３と化粧パネル８とを近接して取付けることが可能である。
【００２０】
図４は第２の実施例の変形例を示す。この例では図３で説明したものと同様に化粧パネルがロータリエンコーダのスリーブに直接取付けられるが、化粧パネルの切り欠きの形状が変更されている。すなわち、図４（ａ）に示された化粧パネル９の立ち上がり部９ｂのパネル４と対向する縁には断面円弧形状の回転面を形成する切り欠き９ａが設けられている。また、図４（ｂ）に示された化粧パネル１０の立ち上がり部１０ｂのパネル４と対向する縁には円錐面を形成する切り欠き１０ａが設けられている。
【００２１】
さらに、図４（ｃ）に示された化粧パネル１１の立ち上がり部１１ｂのパネル４と対向する縁には断面Ｖ字形の回転面を形成する切り欠き１１ａが設けられている。このように、切り欠きの形状を変えることによりデザインの幅を広げてセンターずれを目立たなくすることができる。なお、上記第２の実施例の変形例は図３で示すように化粧パネルのみを用いる用いるものに付いて説明したが、図１に示すように採光板を用いた構造においても同様に切り欠き形状を変更してもよい。
【００２２】
図５はこの発明の第３の実施例であるロータリエンコーダの取付構造を示す部分断面図である。図５（ａ）に示す化粧パネル１２は図３で説明したものと同様にロータリエンコーダのスリーブに直接取付けられるが化粧パネル１２に切り欠きが形成されず、化粧パネル１２の立ち上がり部１２ａと対向するパネル１３の穴の縁に部分円筒面を形成する切り欠き１３ａが設けられている。
【００２３】
このようにパネル側に切り欠きを設けてもセンターずれを目立たなくすることができる。図５（ｂ）はこの実施例の変形例を示す。この例ではパネル１４の化粧パネル１２の立ち上がり部１２ａと対向する縁には断面円弧形状の回転面を形成する切り欠き１４ａが設けられている。図５（ｃ）はこの実施例の他の変形例を示す。この例ではパネル１５の化粧パネル１２の立ち上がり部１２ａと対向する縁には円錐面を形成する切り欠き１５ａが設けられている。
【００２４】
また、図５（ｄ）に示された他の変形例では、パネル１６の化粧パネル１２の立ち上がり部１２ａと対向する縁には断面Ｖ字形の回転面を形成する切り欠き１６ａが設けられている。このように、パネルに設けられ切り欠き形状を変えることによりデザインの幅を広げてセンターずれを目立たなくすることができる。なお、上記第３の実施例は図３で示すように化粧パネルのみを用いる用いるものに付いて説明したが、図１に示すように採光板を用いた構造においても同様に切り欠き形状を変更してもよい。
【００２５】
上記の例はロータリエンコーダのスリーブに化粧パネルのみ、または、化粧パネルと採光板が取付けられた場合に付いて説明したがロータリエンコーダのスリーブに採光板のみを取付け、採光板と対向するパネルの縁に図５（ａ）〜（ｄ）に示すような切り欠きを設けても同様の効果が得られる。
【００２６】
【発明の効果】
この発明の回転操作部品の取付構造によれば、回転操作部品とパネルの穴とのセンターずれが目立たず、優れた外観が得られる。化粧パネルや採光板とパネルとが同色であるか、どちらかが暗い色彩であると、より、センターずれが目立たなくなる。
【００２７】
また、スリーブに同心に取付けられた化粧パネルや採光板とスリーブに回動自在に取付けられた操作軸に嵌着されるつまみとの間にセンターずれが発生しないので、つまみと化粧パネルや採光板との間の隙間を狭くすることができる。
【図面の簡単な説明】
【図１】この発明の第１の実施例であるロータリエンコーダの取付構造を示す断面図である。
【図２】同ロータリエンコーダの取付構造を示す斜視図である。
【図３】この発明の第２の実施例であるロータリエンコーダの取付構造を示す断面図である。
【図４】同ロータリエンコーダの取付構造の変形例を示す部分断面図である。
【図５】この発明の第３の実施例であるロータリエンコーダの取付構造を示す部分断面図である。
【図６】従来のロータリエンコーダの取付構造の例を示す断面図である。
【符号の説明】
１　スリーブ
２　操作軸
３　つまみ
４　パネル、４ａ　穴
５　化粧パネル、５ａ　切り欠き、５ｂ　立ち上がり部
６　採光板
７　隙間
８　化粧パネル、８ａ　切り欠き、８ｂ　立ち上がり部
９、１０、１１、１２　化粧パネル、９ａ、１０ａ、１１ａ　切り欠き
９ｂ、１０ｂ、１１ｂ、１２ａ　立ち上がり部
１３、１４、１５、１６　パネル、１３ａ、１４ａ、１５ａ
１６ａ　切り欠き
１７　化粧パネル
１８　採光板
【図１】
2004069347.tif 000003
【図２】
2004069347.tif 000004
【図３】
2004069347.tif 000005
【図４】
2004069347.tif 000006
【図５】
2004069347.tif 000007
【図６】
2004069347.tif 000008